(57)【特許請求の範囲】
【請求項１】
粉状乃至粒状の内容物を密封包装する袋であって、該袋の口部近傍の内面に開閉自在なチャックテープが熱接着されると共に、更にその内側の内面に、折り畳み可能な摺り切りバーが折り畳まれた状態で接合され、袋を開口させることにより摺り切りバーが直線状に開いて摺り切りバーを形成し、計量スプーンによる内容物の摺り切り計量を可能にしたことを特徴とする摺り切りバー付き袋。
【請求項２】
前記袋が、自立性を有する形式に形成されていることを特徴とする請求項１記載の摺り切りバー付き袋。
【請求項３】
前記袋のチャックテープが熱接着された外側の端縁部がヒートシール部により封止され、該ヒートシール部とチャックテープとの間に袋の開封手段が設けられていることを特徴とする請求項１または２に記載の摺り切りバー付き袋。
【請求項４】
前記摺り切りバーが、ポリエチレンまたはポリプロピレンで形成されていることを特徴とする請求項１乃至３のいずれかに記載の摺り切りバー付き袋。
【発明の詳細な説明】
【０００１】
【発明の属する技術分野】
本発明は、摺り切りバー付き袋に関し、更に詳しくは、粉状、顆粒状、粒状などの内容物を密封包装し、内容物の使用時に計量スプーンなどにより精度の高い計量を可能にした摺り切りバー付き袋に関するものである。
【０００２】
【従来の技術】
従来、粉状、顆粒状、粒状などの内容物を密封包装し、内容物の使用時に計量スプーンなどにより精度の高い計量を可能にした包装容器としては、例えば、缶やプラスチックの成形容器などの保形性容器にプラスチックの成形体などによる外蓋または内蓋を設け、その外蓋または内蓋に摺り切りバーを設けることにより、その摺り切りバーを利用して計量スプーンにすくい上げた内容物を摺り切る方法で計量できるようにした容器があった。
【０００３】
【発明が解決しようとする課題】
しかしながら、このような摺り切り機能を備えた保形性容器は、便利に使用することができるが、使用後の空容器が嵩張るため、廃棄処理が厄介であると同時に、コスト面でも割高になる問題があった。
【０００４】
本発明は、このような問題点を解決するためになされたものであり、その目的とするところは、粉状、顆粒状、粒状などの内容物を安全に密封包装することができ、且つ、内容物の使用時には、計量スプーンなどにより容易に精度よく内容物を計量することができ、更に、内容物を使用した後の空容器が嵩張らず、廃棄処理も容易であり、また、経済性にも優れた摺り切りバー付き袋を提供することにある。
【０００５】
【課題を解決するための手段】
上記の課題は、以下の本発明により解決することができる。
即ち、請求項１に記載した発明は、粉状乃至粒状の内容物を密封包装する袋であって、該袋の口部近傍の内面に開閉自在なチャックテープが熱接着されると共に、更にその内側の内面に、折り畳み可能な摺り切りバーが折り畳まれた状態で接合され、袋を開口させることにより摺り切りバーが直線状に開いて摺り切りバーを形成し、計量スプーンによる内容物の摺り切り計量を可能にしたことを特徴とする摺り切りバー付き袋からなる。
【０００６】
本発明において、袋本体の形式は、特に限定はされず、例えば、三方シール形式の袋や四方シール形式の袋などの平袋のほか、スタンディングパウチ形式の袋、或いはガセットパウチ形式の袋とすることができる。
【０００７】
また、上記チャックテープは、図３に示すように、互いに嵌合可能な凸条が設けられたテープ体と、凹条が設けられたテープ体とで構成し、袋の開口部の内面に、両者をその凸条と凹条とが対向するように配置し、そのテープ体部で袋に熱接着して取り付け、凸条と凹条との嵌合または解離により、袋の開閉を容易に、且つ繰り返し行えるようにするものである。
【０００８】
前記のような構成を採ることにより、袋の本体部は、積層フィルムをヒートシールして任意の形状に形成することができるので密封性に優れると共に、袋の口部には開閉自在なチャックテープが熱接着され、更にその内側に折り畳み可能な摺り切りバーが折り畳まれた状態で接合されているので、充填された内容物を使用する際には、何時でも容易にチャックテープの嵌合を解離させて、その内側に接合された摺り切りバーを直線状に開いて摺り切り計量可能な状態とし、計量スプーンを用いて内容物を計量しながら取り出すことができる。
また、内容物の一部を取り出した後も、容易に摺り切りバーを折り畳んでチャックテープを嵌合させ、袋を再封することができるので、次回の使用まで内容物を安全に保存することができる。
【０００９】
請求項２に記載した発明は、前記袋が、自立性を有する形式に形成されていることを特徴とする請求項１記載の摺り切りバー付き袋からなる。
【００１０】
上記自立性を有する形式は、特に限定はされず、袋に自立性を付与できる形式であれば何でもよい。只、代表的な自立性を付与できる形式としてスタンディングパウチ形式があり、これは袋の底部を、両側の壁面の積層フィルムの下部の間に、底面フィルムを内側に折り返して挿入して形成されるガセット形式で形成し、内側に折り込まれた底面フィルムの両側下端近傍にスポット状などの底面フィルム切り欠き部を設けておいて、そのガセット部を内側が両側から中央部にかけて湾曲線などで凹状となる船底形などのシールパターンでヒートシールして形成するものである。
【００１１】
袋の底部をこのように形成することにより、内容物を充填した際、袋の底部が前後に大きく広がり、フラットに近い底面が形成されると共に、底部の外周にはヒートシール部による脚部が形成されるので、袋に優れた自立性を付与することができる。従って、袋に自立性を付与する場合、スタンディングパウチ形式で袋を形成することが特に好ましい。
【００１２】
このような構成を採ることにより、前記請求項１に記載した発明の作用効果に加えて、袋に自立性が付与されるので、取り扱いが容易になるほか、内容物を計量スプーンで計量する際にも、摺り切りの操作を一層容易に行うことができる。また、容量の割にコンパクトに包装することができ、外観にも優れた摺り切りバー付き袋を提供することができる。
【００１３】
請求項３に記載した発明は、前記袋のチャックテープが熱接着された外側の端縁部がヒートシール部により封止され、該ヒートシール部とチャックテープとの間に袋の開封手段が設けられていることを特徴とする請求項１または２に記載の摺り切りバー付き袋からなる。
【００１４】
上記袋の開封手段は、印刷で表示された切り取り線などの開封指示線や開封指示マークであってもよく、また、実際の引き裂きによる開封操作を容易にする以下のような易開封性手段であってもよい。更にこれらの複数を適宜組み合わせて設けたものであってもよい。
【００１５】
上記易開封性手段としては、例えば、通常の積層フィルム製の袋でも汎用されるノッチを設ける方法のほか、レーザー光照射などによるハーフカット線を設ける方法、或いは、袋の積層フィルムの中間層などに一軸延伸フィルムを積層する方法（この場合、一軸延伸フィルムは、その延伸方向が袋の開封方向と一致するように用いる）などがあり、これらは単独で用いてもよく、また、例えば、ノッチとハーフカット線、更には一軸延伸フィルムの積層などを組み合わせて用いることもできる。
【００１６】
前記ノッチは、通常、一字形やＶ字形などのノッチが利用されているが、形状は特に限定されず、切り取り方向に鋭角部分を有する形状であれば何でも使用することができる。
また、ハーフカット線を設ける場合も、直線状のハーフカット線に限らず、ミシン目状など断続的なハーフカット線で設けることもできる。
更に、このようなハーフカット線は、１本でもよいが、引き裂き方向がずれた場合を想定して、中心のハーフカット線の両側に各１本、または各２本など複数本のハーフカット線を平行または中心のハーフカット線に収斂する形状などに設けることもできる。
【００１７】
前記のような構成を採ることにより、前記請求項１または２に記載した発明の作用効果に加えて、袋のチャックテープの外側の端縁部がヒートシール部により封止されているので、内容物が充填された摺り切りバー付き袋が、流通段階で誤ってそのチャックテープの嵌合が解離されても、内容物が外部に散逸するようなことがなく安全に密封されると共に、袋に充填された内容物を使用する際にも、正しい位置（チャックテープの外側）で一層容易にヒートシール部を切り取って袋を開封することができ、次いでチャックテープの嵌合を解離させて内容物の摺り切りバーによる計量と取り出しを行うことができる。
【００１８】
請求項４に記載した発明は、前記摺り切りバーが、ポリエチレンまたはポリプロピレンで形成されていることを特徴とする請求項１乃至３のいずれかに記載の摺り切りバー付き袋からなる。
【００１９】
本発明において、袋の内面に接合する摺り切りバーは、繰り返し使用するものであり、最初は折り畳んだ状態で袋の内面に接合し、使用時に直線状に開いて摺り切りバーを形成し、使用後には再度折り畳んで偏平な形状にできることが好ましく、そのためには摺り切り機能と共に、折り曲げ部がヒンジ適性を有することが好ましく、また、袋の内面に接合する際には、袋の積層フィルムのシーラント層と熱接着できることが好ましく、更に内容物が粉ミルクなどの食品の場合は、食品衛生面でも問題のないことが必要である。
従って、摺り切りバーの材質は、特に限定するものではないが、ポリエチレンまたはポリプロピレンが好ましく、そのシート状乃至板状体を用いて、その折り曲げ部に折り曲げ線または薄肉部を設けて折り畳み可能に摺り切りバーを形成することできる。
【００２０】
このような構成を採ることにより、前記請求項１乃至３のいずれかに記載した発明の作用効果に加えて、摺り切りバーを、袋の内面への熱接着が容易で、良好な摺り切り機能および折り畳み適性、ヒンジ適性を有すると共に、食品衛生面でも安全なものにすることができる。
【００２１】
【発明の実施の形態】
以下に、本発明の摺り切りバー付き袋に用いる材料、即ち、袋の積層フィルムおよびチャックテープ、摺り切りバーについて説明する。
先ず、本発明の摺り切りバー付き袋に用いる積層フィルムは、主にプラスチックを主体とする積層フィルムが用いられるが、特に限定はされず、充填される内容物に応じて種々の構成を採ることができる。
簡単な構成では、基材フィルム層にシーラント層を積層して構成することができるが、要求される性能に応じて、上記基材フィルム層とシーラント層との間に、中間層として、水蒸気その他のガスバリヤー層や、遮光層、強度向上層などを積層して構成することもできる。また、中間層には、袋の開封時の一定方向の引き裂きを容易にするため、一軸延伸ポリプロピレンフィルムや一軸延伸高密度ポリエチレンフィルムなどをその延伸方向が袋の開封方向と一致するように積層して用いることもできる。
また、上記基材フィルム層、中間層、シーラント層は、それぞれを単独の層で形成してもよいが、複数の層を積層して形成してもよい。
【００２２】
上記基材フィルム層には、二軸延伸ポリプロピレンフィルムのほか、二軸延伸ポリエチレンテレフタレートフィルム、二軸延伸ポリエチレンナフタレートフィルムなどの二軸延伸ポリエステルフィルムや、ナイロン６、ナイロン６６、ＭＸＤ６（ポリメタキシリレンアジパミド）などの二軸延伸ポリアミドフィルムなどを好適に使用することができが、必要に応じて各種エンジニアリングプラスチックフィルムを使用することもできる。
これらは単独で使用してもよく、また、複数を組み合わせて積層して使用することもできる。
【００２３】
中間層をガスバリヤー層とする場合、中間層には、エチレン・酢酸ビニル共重合体ケン化物（ＥＶＯＨ）、ポリ塩化ビニリデン（ＰＶＤＣ）、ポリアクリロニトリル（ＰＡＮ）などのフィルムのほか、アルミニウム箔、或いは、シリカ、アルミナ、アルミニウムなどの蒸着層やＰＶＤＣの塗膜層を設けた二軸延伸ナイロンフィルム（ＯＮフィルム）、二軸延伸ポリエチレンテレフタレートフィルム（ＰＥＴフィルム）、二軸延伸ポリプロピレンフィルム（ＯＰＰフィルム）などを使用することができる。
これらのうち、アルミニウム箔またはアルミニウム蒸着層を設けたフィルムは、不透明であるため遮光層を兼ねることもできる。
また、中間層を強度向上層とする場合は、前記基材フィルムを適宜追加積層してもよく、二軸延伸高密度ポリエチレンフィルムなどを防湿層を兼ねて積層することもできる。
上記の基材フィルム層と中間層の積層には、公知のドライラミネーション法または押し出しラミネーション法（サンドイッチラミネーション法）を用いることができる。
【００２４】
最内層のシーラント層には、低密度ポリエチレン（ＬＤＰＥ）、直鎖状低密度ポリエチレン（Ｌ・ＬＤＰＥ）のほか、エチレン・αオレフィン共重合体、エチレン・酢酸ビニル共重合体、エチレン・アクリル酸共重合体、エチレン・アクリル酸エステル共重合体、ポリプロピレンまたはその共重合体などを使用することができる。
シーラント層の積層は、上記の樹脂をフィルム状に製膜し、ドライラミネーション法または押し出しラミネーション法で積層してもよく、また、上記の樹脂を押し出しコートして積層することもできる。
【００２５】
次に、本発明に用いるチャックテープについて、図３を参照して説明する。
図３は、本発明の摺り切りバー付き袋に取り付けるチャックテープの構成を説明する模式拡大断面図である。
図３に示したチャックテープ５０は、袋の口部の両側の積層フィルム１、１′の内面に熱接着され、その嵌合が解離された時の状態で示したものである。
即ち、チャックテープ５０は、一方の積層フィルム１の内面にそのテープ体部で熱接着された雄型嵌合部１０を有する凸条付きテープ体８と、これに対向するようにもう一方の積層フィルム１′の内面に熱接着された雌型嵌合部１１を有する凹条付きテープ体９とで構成されている。
【００２６】
このようなチャックテープ５０の開閉、即ち、嵌合と解離は、両者を外側から押圧することにより、雄型嵌合部１０が雌型嵌合部１１内に嵌まり込んで嵌合され、その解離は積層フィルム１、１′の上部を摘んで両側に引き離すことにより、雄型嵌合部１０が雌型嵌合部１１から外れる形式で行われる。
このようなチャックテープ５０は、通常、低密度ポリエチレン、直鎖状低密度ポリエチレン、中密度ポリエチレン、ポリプロピレンのほか、ポリエチレン共重合体、ポリプロピレン共重合体などを押出成形して作製される。
また、チャックテープ５０は、単独の樹脂で形成してもよいが、その嵌合部側とテープ体側とを異なる樹脂で多層押出成形して、その嵌合適性と積層フィルムに対する熱接着適性とを向上させることもできる。
【００２７】
次に、本発明に用いる摺り切りバーについて、図４を参照して説明する。
図４は、本発明の摺り切りバー付き袋に取り付ける摺り切りバーの一例の構成を説明する拡大平面図である。
図４に示した摺り切りバー６０は、適度の剛性を有するシート状乃至板状体で形成され、中央部に摺り切りバー形成部２２を有し、その両側に折り曲げ線２４b または折り曲げ線２４c を介して接合部２１、２１が連設されており、また、摺り切りバー形成部２２の中央部の上部には折り曲げ線２４d を介して固定部２５が連設され、更に摺り切りバー形成部２２と固定部２５の中央部には縦方向の折り曲げ線２４a が、摺り切りバー６０を左右に二等分するように設けられて構成されている。
上記折り曲げ線２４a 、２４b 、２４c 、２４d は、押し罫のようにプレス成形して形成してもよく、また、線状に薄肉部を設けて形成してもよい。
【００２８】
このような摺り切りバー６０は、前述したように、ポリエチレンやポリプロピレンなどのシート状乃至板状体で形成した場合は、縦方向の折り曲げ線２４a で半折して、図１に破線で示したように、袋の口部の内面のチャックテープ５０の内側（図において下側）の所定の位置（摺り切りバー６０の位置）に挿入し、接合部２１、２１で袋の積層フィルム（シーラント層）と熱接着させて接合することができる。
【００２９】
袋の口部の内面に接合された摺り切りバー６０は、使用に際して、図２に示すように、袋を開口させることにより、折り畳まれた摺り切りバー形成部２２が直線状に開くので、その中央部の上部に設けられた固定部２５を折り曲げ線２４d で一方に折り曲げることにより、摺り切りバー形成部２２が直線状に固定され、その下端の摺り切りライン２３を利用して、計量スプーンにすくい上げた内容物を摺り切るようにして計量することができる。
計量を終了した後は、前記折り曲げた固定部２５を元に戻す（上方に立てる）ことにより、再度、縦方向の折り曲げ線２４a を折り曲げて偏平に折り畳むことができる。
【００３０】
【実施例】
以下に、図面を用いて本発明を更に具体的に説明する。但し、本発明は、以下の図面に限定されるものではない。
図１は、本発明の摺り切りバー付き袋の一実施例の構成を示す平面図であり、図２は、図１に示した摺り切りバー付き袋の使用時の形状を説明する斜視図である。
【００３１】
図１に示した摺り切りバー付き袋１００は、その本体部を、両側の壁面の積層フィルム１、１′の下部の間に、底面フィルムを内側に折り返して、底面フィルム折り返し部５まで挿入してなるガセット形式で形成し、内側に折り込まれた底面フィルムの両側下端近傍には、スポット状の底面フィルム切り欠き部（図示せず）を設けておいて、そのガセット部を内側が両側から中央部にかけて湾曲線状に凹状となる船底形の底部シール部４でヒートシールして底部を形成し、胴部の両側端縁部を側部シール部２、２でヒートシールして形成すると共に、袋１００の口部となる上部近傍の内面にチャックテープ５０を熱接着して取り付け、更にその内側（図において下側）の内面に折り畳み可能な摺り切りバー６０を折り畳んだ状態（半折した状態）で熱接着などで接合し、また、内容物の充填後にヒートシールされる上部シール部３とチャックテープ５０との間に切り取り線６とその両端にノッチ７、７を設けて構成したものである。
上記切り取り線６は、印刷などによる切り取り指示線のみでもよいが、レーザー光照射などによるハーフカット線や一軸延伸フィルムの積層などの易開封性手段を併用することが更に好ましい。
【００３２】
このような構成を採ることにより、内容物の充填は、チャックテープ５０の嵌合を解離させ、また、未シールの上部シール部３を開口させることにより、上部の開口部から容易に充填し、充填後、チャックテープ５０を嵌合し、上部シール部３をヒートシールして密封することができる。
内容物が充填された摺り切りバー付き袋１００は、自立性を有し取り扱いが容易であると同時に、容量の割にコンパクトに包装することができ、外観にも優れている。
【００３３】
そして、充填された内容物を取り出す際には、ノッチ７を利用して切り取り線６に沿って容易に上部シール部３を切り取って、チャックテープ５０の外側を開封することができ、それによりチャック５０が開閉可能な状態となる。
次いで、チャックテープ５０の嵌合を解離させて袋１００の上部を開口させることにより、開口と同時に、図２に示すように、チャックテープ５０の内側に接合された摺り切りバー６０が直線状に開くので、前述したように、その固定部２５を横方向に折り曲げることにより、直線状に開いた摺り切りバー６０がそのまま固定することができ、その下端の摺り切りライン２３の部分を摺り切りバーとして使用することができる。
【００３４】
従って、袋１００に充填された内容物を計量スプーンですくい上げ、摺り切りバーで余分な内容物をかき落とすことにより、容易に計量することができる。また、この時、袋１００が自立性を有するため、摺り切りによる計量操作を一層容易に行うことができる。
内容物を所望の量だけ計量して取り出した後は、摺り切りバー６０が折り畳み可能であるため、前記固定部２５を元に戻すことにより、摺り切りバー６０を半折して元の状態に折り畳むことができ、次いでチャックテープ５０を嵌合させることにより、次回の使用まで内容物を安全に保存することができる。
また、内容物を完全に使い切った後も、従来の保形性容器と比較して、空容器が嵩張らず廃棄処理も容易であり、製造コストも低減することができる。
【００３５】
【発明の効果】
以上、詳しく説明したように、本発明によれば、粉状、顆粒状、粒状などの内容物を安全に密封包装することができ、且つ、内容物の使用時には、計量スプーンなどにより容易に精度よく内容物を計量することができ、その使い勝手や外観もよく、更に、内容物を使用した後の空容器が嵩張らず、廃棄処理も容易であり、また、経済性にも優れた摺り切りバー付き袋を生産性よく提供できる効果を奏する。
【図面の簡単な説明】
【図１】本発明の摺り切りバー付き袋の一実施例の構成を示す平面図である。
【図２】図１に示した摺り切りバー付き袋の使用時の形状を説明する斜視図である。
【図３】本発明の摺り切りバー付き袋に取り付けるチャックテープの構成を説明する模式拡大断面図である。
【図４】本発明の摺り切りバー付き袋に取り付ける摺り切りバーの一例の構成を説明する拡大平面図である。
【符号の説明】
１、１′積層フィルム
２  側部シール部
３  上部シール部
４  底部シール部
５  底面フィルム折り返し部
６  切り取り線
７  ノッチ
８  凸条付きテープ体
９  凹条付きテープ体
１０  雄型嵌合部
１１  雌型嵌合部
２１  接合部
２２  摺り切りバー形成部
２３  摺り切りライン
２４a 、２４b 、２４c 、２４d   折り曲げ線
２５  固定部
５０  チャックテープ
６０  摺り切りバー
１００  摺り切りバー付き袋
【図１】
0003721121.tif 000002
【図２】
0003721121.tif 000003
【図３】
0003721121.tif 000004
【図４】
0003721121.tif 000005